(57)【要約】少なくとも３段になっている複数の缶を運搬するためのカートンは、ディスペンサーフラップを有しており、このディスペンサーフラップは、ディスペンサーを露出させるべく、カートンの端部から容易に除去され、そのディスペンサーは、最下段における容器が転がり出るのを防止するに十分ではあるが、最下段における容器の直径よりも低い、底部パネルからの高さを有している。ディスペンサーの頂部は、カートン内に収容される缶の直径に、缶の直径よりもかなり短い距離を加えたものに等しいところの、底部パネルからの高さにあり、この高さは、中間段における容器がディスペンサーから自動的に転がり出るのを防止するに十分ではあるが、ディスペンサーに隣接している、中間段における容器を人が掴んで引っ張り出すのを可能にするようなものである。
2006515254.tif 000002
【特許請求の範囲】
【請求項１】
最下段、中間段及び最上段の少なくとも３段になっている複数の円筒状の容器を運搬するための閉鎖形のカートンであって、各容器は、直径及び２つの端部を有しており、カートンは、端部を有しており、カートンの端部のうちの少なくとも１つの端部は、容器がカートンから引っ張られると容器が一度に１つずつカートンを出て行くのを許容し得る出口端部であり、カートンは、
ａ．底部パネルと、頂部パネルと、折畳み可能に取着されており且つ隣接している側部パネルと、
を具備しており、
ｂ．前記出口端部は、容器ディスペンサーを形成するための下部引裂き線及び上部引裂き線であって、互いに少なくともほぼ平行であるものを有しており、前記下部引裂き線は、最下段に収容されるべき容器の直径よりも低い、前記底部パネルからの高さを有しているが、カートンが水平面上にある場合において、前記ディスペンサーが開口しているときに最下段における容器が自動的に転がり出るのを防止するに十分な高さを有しており、前記上部引裂き線は、容器の最下段に収容されるべき容器の直径に、容器の中間段に収容されるべき容器の直径よりもかなり短い距離を加えたものに等しい、前記底部パネルからの高さを有しているが、カートンが水平面上にある場合において、前記ディスペンサーが開口しているときに中間段における容器が前記ディスペンサーから自動的に転がり出るのを防止するに十分な高さにあり、
ｃ．前記上部引裂き線及び前記下部引裂き線は、前記側部パネルのうちの少なくとも一方の側部パネル内へ十分な距離だけ延びており、且つ、前記出口端部と前記一方の側部パネルとに隣接している、中間段における容器の少なくとも端部が掴まれ且つカートンから取り出され得るよう、前記上部引裂き線及び前記下部引裂き線が引き裂かれて開口するのを可能にするに十分な距離だけ、前記上部引裂き線及び前記下部引裂き線は、互いに他方に向かって進行方向を変えており、
前記カートンが、更に、
ｄ．カートンの端部であって、出口端部ではないものを塞ぐ手段、
を具備している、
カートン。
【請求項２】
前記上部引裂き線と前記下部引裂き線との間に位置させられている少なくとも１つの指孔であって、人の指がこの孔に入って前記容器ディスペンサーを引き裂いて開口させるのを可能にするに十分なサイズ及び形状のものが、存在する請求項１に記載のカートン。
【請求項３】
前記下部引裂き線及び前記上部引裂き線が、各側部パネル内へ延びており、この場合、少なくとも前記下部引裂き線及び前記上部引裂き線は、一方の側部パネル内へ十分な距離だけ延びており、且つ、前記出口端部と前記一方の側部パネルとに隣接している、中間段における容器の少なくとも端部が掴まれ且つカートンから取り出され得るよう、前記上部引裂き線及び前記下部引裂き線が引き裂かれて開口するのを可能にするに十分な距離だけ、前記下部引裂き線及び前記上部引裂き線は、互いに他方に向かって進行方向を変えている請求項１に記載のカートン。
【請求項４】
前記下部引裂き線及び前記上部引裂き線が、各側部パネル内へ十分な距離だけ延びており、且つ、前記出口と前記側部パネルとに隣接している、中間段に収容されている容器の端部が掴まれ且つカートンから取り出され得るよう、前記上部引裂き線及び前記下部引裂き線が引き裂かれて開口するのを可能にするに十分な距離だけ、前記下部引裂き線及び前記上部引裂き線は、互いに他方に向かって進行方向を変えている請求項１に記載のカートン。
【請求項５】
前記上部引裂き線と前記下部引裂き線との間に位置させられている少なくとも１つの指孔であって、人の指が前記孔に入って前記容器ディスペンサーを引き裂いて開口させるのを可能にするに十分なサイズ及び形状のものが、存在する請求項４に記載のカートン。
【請求項６】
前記指孔が、前記側部パネル内に少なくとも部分的に位置させられており、この場合、残りの部分は、カートンの出口端部内に位置させられており、この場合、前記孔は、カートンの前記出口端部近傍の空間内において人の指がカートンに入り得るような位置に位置させられており、前記空間は、容器の最下段における容器と容器の中間段における容器とがカートンの前記出口端部に直に接しているところの地点と、前記容器が互いに他方と接触しているところの地点との間に形成されている請求項５に記載のカートン。
【請求項７】
指孔が、両方の側部パネル内に少なくとも部分的に位置させられており、この場合、前記指孔の残りの部分は、カートンの出口端部内において、下部引裂き線と上部引裂き線との間に位置させられている請求項６に記載のカートン。
【請求項８】
前記上部引裂き線と前記下部引裂き線との間に位置させられている少なくとも１つの指孔であって、人の指が前記孔に入って前記容器ディスペンサーを引き裂いて開口させるのを可能にするに十分なサイズ及び形状のものが、存在しており、各指孔は、カートンの出口端部近傍の、人の指がカートンに入るような位置における空間に位置させられており、前記空間は、容器の最下段における容器と容器の中間段における容器とがカートンの前記出口端部に直に接しているところの地点と、前記容器が互いに他方と接触しているところの地点との間に形成されている請求項４に記載のカートン。
【請求項９】
下部引裂き線が、底部パネルから、最下段に収容されるべき容器の直径のほぼ４０％〜ほぼ８０％であるところの高さに位置させられている請求項１に記載のカートン。
【請求項１０】
上部引裂き線が、底部パネルから、最下段における容器の直径に、容器の中間段に収容されるべき容器の直径のほぼ６０％〜９０％の距離を加えたものであるところの高さに位置させられている請求項１に記載のカートン。
【請求項１１】
上部引裂き線が、底部パネルから、最下段における容器の直径に、容器の中間段に収容されるべき容器の直径のほぼ６０％〜９０％の距離を加えたものであるところの高さに位置させられている請求項９に記載のカートン。
【請求項１２】
下部引裂き線が、底部パネルから、最下段に収容されるべき容器の直径のほぼ６０％であるところの高さに位置させられている請求項１に記載のカートン。
【請求項１３】
上部引裂き線が、底部パネルから、最下段における容器の直径に、容器の中間段に収容されるべき容器の直径のほぼ８０％である距離を加えたものであるところの高さに位置させられている請求項１２に記載のカートン。
【請求項１４】
下部引裂き線が、底部パネルから、最下段に収容されるべき容器の直径のほぼ４０％〜ほぼ８０％であるところの高さに位置させられている請求項６に記載のカートン。
【請求項１５】
上部引裂き線が、底部パネルから、最下段における容器の直径に、容器の中間段に収容されるべき容器の直径のほぼ６０％〜９０％の距離を加えたものであるところの高さに位置させられている請求項６に記載のカートン。
【請求項１６】
下部引裂き線が、底部パネルから、最下段に収容されるべき容器の直径のほぼ４０％〜ほぼ９０％であるところの高さに位置させられている請求項１５に記載のカートン。
【請求項１７】
容器ディスペンサーが、カートンの両端部に位置させられている請求項１に記載のカートン。
【請求項１８】
最下段、中間段及び最上段の少なくとも３段になっている複数の円筒状の容器を運搬するための閉鎖形のカートンであって、各容器は、直径及び２つの端部を有しており、少なくとも１つの端部は、容器がカートンから引っ張られると容器が一度に１つずつカートンを出て行くのを許容し得る出口端部であり、カートンは、
ａ．底部パネルと、頂部パネルと、折畳み可能に取着されており且つ隣接している側部パネルと、
を具備しており、
ｂ．前記出口端部は、最下段に収容されるべき容器の直径よりもかなり低い高さを備えており且つ折り線を介して底部パネルへ取着されている底端部フラップと、頂部パネルへ折畳み可能に取着されている頂端部フラップと、各側部パネルへ折畳み可能に取着されている側端部フラップと、前記フラップを一体になるように取着してカートンの出口端部を塞ぐ手段とを有しており、
ｃ．前記出口端部は、容器ディスペンサーを形成するための、各側端部パネルに形成されている下部引裂き線及び上部引裂き線であって、互いに少なくともほぼ平行であるものを有しており、前記下部引裂き線は、最下段に収容されるべき容器の高さよりも低い、前記底部パネルからの高さを有しているが、カートンが水平面上にある場合において、前記ディスペンサーが開口しているときに最下段における容器が自動的に転がり出るのを防止するに十分な高さを有しており、前記上部引裂き線は、容器の前記最下段に収容されるべき容器の直径に、容器の中間段に収容されるべき容器の直径よりもかなり短い距離を加えたものに等しい、前記底部パネルからの高さを有しているが、カートンが水平面上にある場合において、前記ディスペンサーが開口しているときに中間段における容器が前記ディスペンサーから自動的に転がり出るのを防止するに十分な高さにあり、
ｄ．前記上部引裂き線及び前記下部引裂き線は、前記側部パネルのうちの少なくとも一方の側部パネル内へ十分な距離だけ延びており、且つ、前記出口端部と前記一方の側部パネルとに隣接している、中間段における容器の少なくとも端部が掴まれ且つカートンから取り出され得るよう、前記上部引裂き線及び前記下部引裂き線が引き裂かれて開口するのを可能にするに十分な距離だけ、前記上部引裂き線及び前記下部引裂き線は、互いに他方に向かって進行方向を変えており、
前記カートンが、更に、
ｅ．カートンの端部であって、出口端部ではないものを塞ぐ手段、
を具備している、
カートン。
【請求項１９】
前記下部引裂き線及び前記上部引裂き線が、各側部パネル内へ十分な距離だけ延びており、且つ、前記出口と前記側部パネルとに隣接している、中間段に収容されている容器の端部が掴まれ且つカートンから取り出され得るよう、前記上部引裂き線及び前記下部引裂き線が引き裂かれて開口するのを可能にするに十分な距離だけ、前記下部引裂き線及び前記上部引裂き線が、互いに他方に向かって進行方向を変えている請求項１８に記載のカートン。
【請求項２０】
前記指孔が、前記側部パネル内に少なくとも部分的に位置させられており、この場合、残りの部分は、カートンの出口端部内に位置させられており、この場合、前記孔は、カートンの前記出口端部近傍の空間内において人の指がカートンに入り得るような位置に位置させられており、前記空間は、容器の最下段における容器と容器の中間段における容器とがカートンの前記出口端部に直に接しているところの地点と、前記容器が互いに他方と接触しているところの地点との間に形成されている請求項１９に記載のカートン。
【請求項２１】
下部引裂き線が、底部パネルから、最下段に収容されるべき容器の直径のほぼ４０％〜ほぼ８０％であるところの高さに位置させられている請求項２０に記載のカートン。
【請求項２２】
上部引裂き線が、底部パネルから、最下段における容器の直径に、容器の中間段に収容されるべき容器の直径のほぼ６０％〜９０％の距離を加えたものであるところの高さに位置させられている請求項２１に記載のカートン。
【請求項２３】
上部引裂き線が、底部パネルから、最下段における容器の直径に、容器の中間段に収容されるべき容器の直径のほぼ８０％である距離を加えたものであるところの高さに位置させられている請求項２１に記載のカートン。
【請求項２４】
カートンの出口端部における、下部引裂き線から上部引裂き線までの距離が、カートンに収容されるべき円筒状の容器の直径の１１０〜１３０％である請求項１８に記載のカートン。
【請求項２５】
下段、中段及び上段の３段になっている複数の円筒状の容器を運搬するための閉鎖形のカートンであって、各容器は、直径及び２つの端部を有しており、少なくとも１つの端部は、容器がカートンから引っ張られると容器が一度に１つずつカートンを出て行くのを許容し得る出口端部であり、
ａ．底部パネルと、頂部パネルと、折畳み可能に取着されており且つ隣接している側部パネルと、
を具備しており、
ｂ．前記出口端部は、下段に収容されるべき容器の直径よりもかなり低い高さを備えており且つ折り線を介して底部パネルへ取着されている底端部フラップと、頂部パネルへ折畳み可能に取着されている頂端部フラップと、各側部パネルへ折畳み可能に取着されている側端部フラップと、前記フラップを一体になるように取着してカートンの出口端部を塞ぐ手段とを有しており、
ｃ．前記出口端部は、容器ディスペンサーを形成するための、各側端部パネルに形成されている下部引裂き線及び上部引裂き線であって、互いに少なくともほぼ平行であるものを有しており、前記下部引裂き線は、下段に収容されるべき容器の高さよりも低い、前記底部パネルからの高さを有しているが、カートンが水平面上にある場合において、前記ディスペンサーが開口しているときに下段における容器が自動的に転がり出るのを防止するに十分な高さを有しており、前記上部引裂き線は、容器の前記下段に収容されるべき容器の直径に、容器の中段に収容されるべき容器の直径よりもかなり短い距離を加えたものに等しい、前記底部パネルからの高さを有しているが、カートンが水平面上にある場合において、前記ディスペンサーが開口しているときに中段における容器が前記ディスペンサーから自動的に転がり出るのを防止するに十分な高さにあり、
ｄ．前記上部引裂き線及び前記下部引裂き線は、前記側部パネルのうちの少なくとも一方の側部パネル内へ十分な距離だけ延びており、且つ、前記出口端部と前記一方の側部パネルとに隣接している、中段における容器の少なくとも端部が掴まれ且つカートンから取り出され得るよう、前記上部引裂き線及び前記下部引裂き線が引き裂かれて開口するのを可能にするに十分な距離だけ、前記上部引裂き線及び前記下部引裂き線は、互いに他方に向かって進行方向を変えており、
前記カートンが、更に、
ｅ．カートンの端部であって、出口端部ではないものを塞ぐ手段、
を具備している、
カートン。
【請求項２６】
前記下部引裂き線及び前記上部引裂き線が、各側部パネル内へ十分な距離だけ延びており、且つ、前記出口と前記側部パネルとに隣接している、中段に収容されている容器の端部が掴まれ且つカートンから取り出され得るよう、前記上部引裂き線及び前記下部引裂き線が引き裂かれて開口するのを可能にするに十分な距離だけ、前記下部引裂き線及び前記上部引裂き線が、互いに他方に向かって進行方向を変えている請求項２５に記載のカートン。
【請求項２７】
前記指孔が、前記側部パネル内に少なくとも部分的に位置させられており、この場合、残りの部分は、カートンの出口端部内に位置させられており、この場合、前記孔は、カートンの前記出口端部近傍の空間内において人の指がカートンに入り得るような位置に位置させられており、前記空間は、容器の下段における容器と容器の中段における容器とがカートンの前記出口端部に直に接しているところの地点と、前記容器が互いに他方と接触しているところの地点との間に形成されている請求項２５に記載のカートン。
【請求項２８】
下部引裂き線が、底部パネルから、下段に収容されるべき容器の直径のほぼ４０％〜ほぼ８０％であるところの高さに位置させられている請求項２６に記載のカートン。
【請求項２９】
上部引裂き線が、底部パネルから、下段における容器の直径に、容器の中段に収容されるべき容器の直径のほぼ６０％〜９０％の距離を加えたものであるところの高さに位置させられている請求項２７に記載のカートン。
【請求項３０】
下部引裂き線が、底部パネルから、下段に収容されるべき容器の直径のほぼ６０％であるところの高さに位置させられている請求項２５に記載のカートン。
【請求項３１】
上部引裂き線が、底部パネルから、下段における容器の直径に、容器の中段に収容されるべき容器の直径のほぼ８０％である距離を加えたものであるところの高さに位置させられている請求項２５に記載のカートン。
【請求項３２】
カートンの出口端部における、下部引裂き線から上部引裂き線までの距離が、カートンに収容されるべき円筒状の容器の直径の１１０〜１３０％である請求項２５に記載のカートン。
【請求項３３】
下部引裂き線が、ほぼ、カートンの前記出口端部における前記底端部フラップの高さに位置させられている請求項２５に記載のカートン。
【請求項３４】
閉鎖形のカートンにおけるディスペンサーから円筒状の容器を分配する方法であって、前記カートンは、最下段、中間段及び最上段の少なくとも３段になっている容器を収容しており、各容器は、直径及び２つの端部を有しており、前記カートンは、２つの端部を有しており、この場合、一方の端部は、ディスペンサーを備えている出口端部であり、前記カートンは、更に、
ａ．底部パネルと、頂部パネルと、折畳み可能に取着されており且つ隣接している側部パネルと、
を有しており、
ｂ．前記出口端部は、容器ディスペンサーを形成するための下部引裂き線及び上部引裂き線であって、少なくともほぼ平行であるものを有しており、前記下部引裂き線は、最下段に収容されるべき容器の直径よりも低い、前記底部パネルからの高さを有しているが、カートンが水平面上にある場合において、前記ディスペンサーが開口しているときに最下段における容器が自動的に転がり出るのを防止するに十分な高さを有しており、前記上部引裂き線は、容器の最下段に収容されるべき容器の直径に、容器の中間段に収容されるべき容器の直径よりもかなり短い距離を加えたものに等しい、前記底部パネルからの高さを有しているが、カートンが水平面上にある場合において、前記ディスペンサーが開口しているときに中間段における容器が前記ディスペンサーから自動的に転がり出るのを防止するに十分な高さにあり、
ｃ．前記上部引裂き線及び前記下部引裂き線は、両方の側部パネル内へ十分な距離だけ延びており、且つ、前記出口端部と前記側部パネルとに隣接している、中間段における容器の端部が掴まれ且つカートンから取り出され得るよう、前記上部引裂き線及び前記下部引裂き線が引き裂かれて開口するのを可能にするに十分な距離だけ、前記上部引裂き線及び前記下部引裂き線は、互いに他方に向かって進行方向を変えており、
前記方法は、底部パネルがほぼ水平な面内にあるようにしてカートンを置くことと、前記上部引裂き線及び前記下部引裂き線を引き裂いて開口させることと、ディスペンサー開口部に隣接している、中間段における容器の端部を掴むことと、ディスペンサー開口部を通して容器を引っ張ることとを具備しており、この結果、最上段における容器が、取り出された容器によって占められていた位置に落ち、ここで、追加の容器が、同じ態様で取り出され、最後に、カートンが、ディスペンサーを備えているカートンの端部がカートンの他方の端部よりも低くなるように傾けられ、これにより、全ての容器がカートンから取り出されるまで、全ての段における容器が、ディスペンサー開口部に向かって前方へ転がることが可能になる、
方法。
【発明の詳細な説明】
【技術分野】
【０００１】
発明の背景
１．発明の分野
本発明は、一般的には、缶のような円筒状容器を封入することのできる閉鎖形板紙カートンに関しており、このカートンは、独特な開口・分配構造物であって、容器(例えば缶)が一度に１つずつ取り出され且つカートン内の他の容器は取出し位置へ落下するのを可能にするものを有している。カートンがそれの底部パネルにおいて静止しているときにディスペンサーが開口させられると、ディスペンサーの底部は、最下段における容器であって側面で横たわっているものがカートンから自動的に転がり出るのを防止するに十分に遠くまで、底部パネルの上方に置かれている。ディスペンサーの頂部は、第２段における缶がカートンから自動的に転がり出るのを防止するに十分な、底部パネルからの高さのところに構成されている。容器が所定の位置へ落下した際に人が容器の各端部を掴んで容器をカートンから取り出すのを可能にすべく、ディスペンサー開口部は、カートンの側部パネル内へ延びている。ディスペンサーを開口させるべく引っ張られるところの指孔が、ディスペンサーフラップに設けられており、この場合、その孔は、カートンの分配端部における第１段及び第２段内の缶の弧の間に形成されている、側部パネルにおける空間に位置させられている。
【０００２】
２．背景
缶を封入することのできる、完全に閉鎖されたカートンであって、缶を一度に１つずつ分配するための構造物を有しているものが、過去において使用されてきた。ディスペンサーセクションは、設計に応じて、それらのカートン内の種々の位置に設けられていた。これらのディスペンサーの多くは、一旦開口すると、全ての容器が転がり出るのをそれらが許容する、という不利を招いている。更に、一旦ディスペンサーが開口させられると、これらのカートンのうちの１つのカートンを、容器を落下させることなく運搬することは、困難である。
【０００３】
これらのディスペンサーの多くは、一旦それらが開口させられると、カートン全体の保全性を破壊する。これらの分配構造物の多くは、ディスペンサーが開口させられたときに第１円筒状容器(例えば缶)がカートンから落下するのを防止する手段を何ら有していない。換言すると、ディスペンサーは、安全性構造物を何ら有していない。
【０００４】
Ｆａｒｑｕｈａｒへの米国特許第３,２６５,２８３号は、完全に閉鎖されたカートンであって、封入された缶を分配するためのディスペンサーを有しているものを開示している。カートンの端壁は、分配フラップを有しており、この分配フラップは、開口する際に、下方に折り畳まれ得る。フラップによって形成された孔は、側壁内へ延びており、これにより、缶を掴んで缶をカートンから引き出すことが、可能になる。フラップが開口させられると、孔の中心へと端壁内を下方に延びている弧状のフラップ部により、缶は、カートン内に保持される。このカートンの構造保全性は、カートンの底端部全体が開口させられているが故に、損なわれている。分配フラップは、缶がカートンから転がり出て床に落ちるのを防止するための安全性構造物を提供していない。このカートンは、ディスペンサーが開口させられた後には、容器が落下することなく、一の場所から別の場所へ容易には移動させられ得ない。
【０００５】
Ｈｏｌｌｅｙ，Ｊｒ．外への米国特許第４,３６４,５０９号も、完全に閉鎖されたカートンであって、端壁のうちの１つの端壁にディスペンサーを備えているものを開示している。このディスペンサーも、同様に、端部フラップを引き裂き且つそれを適切な位置へ下げることによって端壁内に形成される。ユーザーの指用の拡大スリットであって、出て行く缶の端部を掴むためのものが、側壁内に設けられている。更に、一旦カートンが開口させられると、それは、缶を運搬するには適していない。何故ならば、缶は、ディスペンサーから転がり出るように思われるからである。結果は、カートンがテーブルのような水平面上に載っている場合において缶がディスペンサーから転がり出るのを防止するための安全性構造物ではない。
【０００６】
発明の概要
本発明の目的は、ディスペンサーが開口させられた後でもカートンの保全性を保存するディスペンサーを提供することである。本発明の更なる目的は、円筒状容器(例えば缶)と共に使用され得るディスペンサーを提供することである。本発明の更なる目的は、カートン内の円筒状容器(例えば缶)を分配するためのディスペンサーを提供することであり、そのカートン内には、容器が、少なくとも３段に、それらの側面において積み重ねられ、しかも、容器は、カートンが開口させられているときに、そのカートンから自動的に転がり出ることはないが、容易に掴まれてカートンから取り出される。本発明の更なる目的は、ディスペンサーフラップを提供することであり、このディスペンサーフラップは、孔を有しており、この孔の中に、フラップを除去すべく、従って、缶を取り出すためのディスペンサーを開口させるべく、人の指が、容易に挿入され得る。本発明の更なる目的は、カートンを提供することであり、このカートン内には、円筒状容器(例えば缶)が、３段に、それらの側面において積み重ねられ、この場合、缶がディスペンサーから取り出されると、上段及び中段における容器のうちの幾つかの容器は、自動的に前方へ転がる。更なる目的は、ディスペンサーを備えているカートンを提供することであり、このカートン内には、缶が、それらの側面において積み重ねられ、しかも、カートン内の缶は、ディスペンサーを自動的に出て行くことはないが、缶の端部を掴むことによって容易に取り出され得る。
【０００７】
手短に言うと、好適な形において、本発明の目的は、閉鎖形のカートンであって、このカートンの出口端部に独特の且つ新規なディスペンサーを有しているものを提供することにより、達成される。このカートンは、ほぼ長方形の側部パネルを有していると共に、底部、頂部、並びに閉鎖端部及び出口端部を有している。このカートンは、パネル及びフラップを有しているブランクから折畳み可能に組み立てられる。カートンの単数又は複数の出口端部は、円筒状容器がディスペンサーを通してカートンから取り出されるのを可能にする。このカートンは、３段又は４段以上の円筒状容器(例えば缶)を運搬すべく設計されており、それらの円筒状容器は、カートンの底部パネル上に、それらの側面で横たわっている。
【０００８】
好適な形において、このカートンは、端部を有しており、これらの端部は、頂端部フラップ、底端部フラップ及び２つの側端部フラップであって、接着剤によって一体になるように保持されているものにより、形成されている。少なくともカートンが水平面上にある場合において、ディスペンサーが開口させられているときに最下段における缶がディスペンサーから自動的に転がり出るのを防止するに十分な高さのところに、引裂き線が、底端部フラップの上方において２つの側端部フラップに設けられている。カートンは、２つの側端部フラップ内に上部引裂き線を有しており、少なくともカートンが水平面上にある場合において、ディスペンサーが開口させられているときに第２段における缶が自動的に転がり出るのを防止するに十分な、底部パネルからの高さのところに、その上部引裂き線は、ある。
【０００９】
これらの上部引裂き線及び下部引裂き線は、側部パネルのうちの少なくとも一方の側部パネル内へ延びており、しかも、互いに他方に向かって進行方向を変えて、互いに他方とぶつかっており、もって、上部引裂き線と下部引裂き線との間のディスペンサーフラップを除去すると、ディスペンサーが、開口させられ得る。好適に、上部引裂き線及び下部引裂き線は、両方の側部パネル内へ延びており、しかも、進行方向を変えて、互いに他方とぶつかっている。好適に、側部パネルのうちの少なくとも一方の側部パネル内の、それらの引裂き線の間に、指孔が、存在しており、この指孔は、人の指がその孔に入ってディスペンサーフラップを除去するのを可能にし、そして、ディスペンサーフラップが除去されると、ディスペンサーが、開口する。好適に、その指孔は、側部パネルと端部フラップとが交わっている地点に置かれており、もって、人の指は、第１段における缶と第２段における缶とディスペンサーフラップとの間の空間に入る。これは、ディスペンサーフラップを容易に除去するのに必要なグリップ及び梃子作用を人が得ることを可能にする。この孔は、両方の側部パネルにおける下部引裂き線と上部引裂き線との間に、好ましくは側部パネルと端部フラップとが交わる地点に置かれ得る。あるいは、ディスペンサーフラップの容易な除去のために、人の指が、最下段における缶と第２段における缶との間の空間に入るようにして、指孔は、容器の分配端部に置かれ得る。
【００１０】
カートンの分配端部における下部引裂き線は、ディスペンサーが開口させられているときに最下段における容器が自動的に転がり出ないような高さのところに位置させられている。この高さは、最下段における容器の直径と関連している。この下部引裂き線の高さは、最下段における容器の直径の少なくとも４０〜８０％であるべきである。好ましくは、下部引裂き線の高さは、最下段における缶の直径のほぼ６０％である。上部引裂き線の位置も、缶の直径と関連している。ほぼ、最下段における缶の直径に、第２段における缶の直径のほぼ６０〜９０％である距離を加えたものであるところの、底部パネルからの高さに、それは、基本的に位置させられる。好ましくは、上部引裂き線の高さは、ほぼ、最下段における缶の直径に、第２段における缶の直径のほぼ８０％を加えたものである。別な方法で表現すると、下部引裂き線と上部引裂き線との間の距離は、缶の直径のほぼ１１０％〜１３０％であるべきである。次のことが、重要である。即ち、この距離は、缶の容易な取出しのために、第２段における缶の端部が掴まれ得るに十分に前方へその缶が転がるように、十分に大きくなければならないが、缶が自動的に転がり出るほど大きくあってはならない。下部引裂き線及び上部引裂き線の厳密な位置は、それからカートンが組み立てられるところの板紙の品質及び柔軟性、並びに他の因子に依存する。基本的に、下部引裂き線及び上部引裂き線の厳密な位置は、上述のパラメーター内にあり、少なくともカートンが水平面内にある場合において、引裂き線が引き裂かれたときに缶が自動的にカートンから転がり出ないよう、位置させられる。
【００１１】
次のことは、重要である。即ち、側部パネル内へ延びている引裂き線は、ディスペンサーに隣接している缶の端部を人の指が掴んでその缶を容易に取り出し得るに十分な距離及び高さだけ延びている。基本的に、底部パネルからの高さであって、これらの高さにおいて、上部引裂き線及び下部引裂き線がカートンの端部内に置かれているものとほぼ同じ高さにおいて、それらの上部引裂き線及び下部引裂き線は、各側部パネル内へ延びているべきである。取り出される際に、ディスペンサーに隣接している缶を人の指が掴むことが容易であるよう、それらの線は、十分な距離だけ各側部パネル内へ延び、その後、互いに他方とぶつかるべく進行方向を変える必要がある。
【００１２】
ディスペンサーフラップは、それが一方の側部パネルと端部パネルとから除去される限り、カートンから完全に除去される必要はない、ということが、理解されるべきである。ディスペンサーに隣接している缶の端部を人の指が容易に掴み得るよう、ディスペンサーフラップが完全に除去される、ということは、好ましい。
【００１３】
このカートンは、接着剤留め、テープ留め、ステープル留め等により、又はロッキングにより、組み立てられ得る。本発明のディスペンサーは、カートンの一端部又は両端部に置かれ得る。添付図面の図と共に以下の詳記を査読すると、本発明の上記の及び他の目的、特徴及び利点が、より明らかになろう。
【００１４】
好適な実施形態の詳細な記載
本発明は、主に、清涼飲料、ビール等を収容すべく使用されているタイプの缶との使用を意図されている。ブランク１０は、板紙のような、折畳み可能なシート材料から形成されている。ブランクは、底部フラップ１２を有しており、この底部フラップ１２は、折り線１６を介して側部パネル１４へ接続されている。側部パネル１４は、折り線２０を介して頂部パネル１８へ接続されており、そして、順次、頂部パネル１８は、折り線２４を介して側部パネル２２へ接続されている。側部パネル２２は、折り線２８を介して底部フラップ２６へ接続されている。底端部フラップ３０及び３４が、それぞれ、折り線３２及び３６を介して底部フラップ１２へ接続されている。側端部フラップ３８及び４０が、それぞれ、折り線３２及び３６を介して側部パネル１４へ接続されている。頂端部フラップ４２及び４４が、それぞれ、折り線３２及び３６を介して頂部パネルへ１８接続されている。側端部フラップ４６及び４８が、それぞれ、折り線３２及び３６を介して側部パネル２２へ接続されている。底端部フラップ５０及び５２が、それぞれ、折り線３２及び３６を介して底部フラップ２６へ接続されている。把手が、把手フラップ５４を確立するための刻み線５６を形成することにより、頂部パネル１８に構成され得る。スリット５８が、２つの把手フラップ５４の間に形成されていてもよく、このスリット５８内へ、人の指が、カートンを運搬するために挿入され得る。そのスリット５８は、カートンを持ち上げることによって加えられる応力を除去すべく、側部パネル１４及び２２内へ延びていてもよい。カートンが持ち上げられる際の把手における応力を除去するための応力除去線６０が、把手フラップ５４の周りに形成されていてもよい。
【００１５】
このカートンは、引裂き線６４を設けることによって形成されているディスペンサーフラップ６２を有しており、その引裂き線６４は、側部パネル１４及び２２並びに側端部フラップ４０及び４８内へ延びている。ディスペンサーフラップ６２の除去を容易にするための指孔６６が、設けられていてもよい。
【００１６】
ディスペンサーフラップ６２との接触状態にある最下段における缶及び次の段における缶の２つの弧の間に形成されている空間内の位置に、指孔６６は、設けられているべきであり、これにより、人の指が、指孔６６内へ挿入され得る。これは、人の指がカートン内へ十分遠くまで挿入されるのを可能にし、これにより、ディスペンサーフラップ６２を除去するのに必要な梃子作用が、もたらされる。好適に、指フラップ６６が、ディスペンサーフラップ６２の各側部に置かれており、これにより、フラップを除去するのに必要な梃子作用が、もたらされる。最下段及び第２段における缶とディスペンサーフラップ６２との間の空間内へ人の指を挿入するのに理想的な位置であるところの折り線３６上に、指孔の中心が置かれている、ということが、好ましい。
【００１７】
本発明のカートンは、容易に形成されると共に、一般に行われている態様で缶を装入される。底部フラップ１２及び２６が、先ず、折り畳まれ且つ接着されてスリーブを形成し、このスリーブ内へ、缶が、装入され、この場合、それらの缶の側面が、底部パネル上に横たわる。ディスペンサーフラップ６２が位置させられているところのカートンの端部を用いると、頂端部フラップ４４が、下方に折られ、そして、底端部フラップ３４及び５２が、上方に折られ、そして、側端部フラップ４０及び４８が、端部上に折られ且つ頂端部フラップ４４と底端部フラップ３４及び５２とへ接着される。カートンの他方の端部が、同じ遣り方で閉じられる。
【００１８】
図１に示されているブランクから直立させられたカートンは、カートンの一方の端部にディスペンサーフラップ６２を有しているだけである。しかしながら、ディスペンサーフラップは、カートンの両方の端部に置かれ得る。
【００１９】
図１のブランクから作られたカートンのディスペンサーは、上部・下部引裂き線６４を有している必要があり、その上部・下部引裂き線６４は、少なくともカートンが水平面内にある場合において、ディスペンサーフラップが開口させられてディスペンサーが露出したときに缶が転がり出ないようにして、カートンの端部内に位置させられている。図２に示されているカートンは、１２本の缶を３×４の配置で運搬すべく設計されている。４段以上しかも各段に５本以上の缶を運搬すべくカートンは設計され得る、ということが、理解されるべきである。ディスペンサーフラップ６２が開けられたときに、最下段における缶Ｃがカートンから転がり出ることがないよう、容器の底部近傍における引裂き線の部分は、底部パネルから十分な距離にある必要がある。引裂き線６４の上部部分は、底部パネルから、最下段における缶の直径に、中間段における容器の直径よりもかなり短いが、カートンが水平面上にあるときに中間段における容器がディスペンサーから自動的に転がり出るのを防止するには十分である距離を加えたものに等しい距離のところに、位置させられる必要がある。下部引裂き線は、底部パネルから測って、容器の直径のほぼ４０％〜８０％であるところの高さにある必要がある、ということが、見出されている。好ましくは、下部引裂き線６４の高さは、底部パネルから測って、最下段に収容される缶の直径のほぼ６０％である。
【００２０】
上部引裂き線６４は、底部パネルから、最下段における容器の直径に、中間段における容器の直径のほぼ６０〜９０％を加えたものに等しい距離のところに、位置させられるべきである。好ましくは、上部引裂き線は、底部から測って、最下段における缶の直径に、第２段における缶の直径のほぼ８０％を加えたものに等しい距離のところに、位置させられる。
【００２１】
一体となるように接着されて端部パネルを形成し得るフラップからカートンの端部が構成される、ということは、好ましい。図１に示されている実施形態から成るカートンにおいては、端部フラップが、閉じられ且つ接着されて出口端部を形成し得ると同時に、同じカートンブランクから端部パネルが構成されている(但し、必要な折畳み及び接着又は固定は、ブランク上の他の場所でなされている)ところのカートンにおいて、ディスペンサーが利用され得る、ということが、理解されるべきである。
【００２２】
側面を底部パネル上に横たえている缶を満載しているカートンが、図２に示されており、この図２は、運搬用の把手内へ挿入されている人の手を示している。
【００２３】
ディスペンサーを開口させているところが、図３に示されており、この図３においては、人の指が、指孔６６を通して挿入されていると共に、ディスペンサーフラップ６２を引っ張っており、最も下の２段における缶Ｃが、部分的に露出させられている。缶の最上段は、示されていない。
【００２４】
図４は、缶Ｃを取り出すべく缶を掴んでいる人の指と拇指とを示している。ディスペンサーフラップが除去された後に、第２段における缶Ｃが、折り線３６によって示されているカートンの端部を越えて、缶の外側の弧を示しているＧによって表されている位置まで、僅かに前方に移動している、ということが、図５から認められよう。第２段における缶Ｃが図５に示されている位置Ｇまで前方に転がって缶の端部が掴まれ得るよう、下部及び上部の引裂き線６４の位置を定めることが、容易な取出しのために重要である。上部引裂き線は、高過ぎる位置には定められ得ず、さもなければ、缶が、カートンから自動的に転がり出るであろう。その缶が取り出された後に、最上段における缶が、ディスペンサーからの次の取出しのために、落下しよう。ディスペンサーから缶が取り出されるときに、後続の缶が、所定の位置へ転がろう。カートンは、前方へ傾けられ得、そして、他の缶が、取出しのために、前方に来る。
【００２５】
前述のように、下部引裂き線及び上部引裂き線の位置は、ディスペンサーが開口させられたときにカートン内の全ての缶を保持するに十分な高さにあるが、缶の容易な取出しを可能にするに十分な距離が、それらの間にある。缶は、図５に示されているように、それが両端部において掴まれ得る場合にのみ、容易に取り出され得る。
【００２６】
上部及び下部の引裂き線６４の位置の例として、図５が、原理を示すべく使用され得る。２.６インチの直径Ｄを有している缶Ｃの場合、下部引裂き線６４の高さＸは、好適に、カートンの底部からほぼ１.６インチに置かれており、一方、上部引裂き線は、底部パネルからほぼ４.６５インチの高さＹに置かれている。これは、結果的に、３.０５インチのディスペンサー開口をもたらす。下部引裂き線及び上部引裂き線の好適な配置は、多数の因子(例えば、板紙の品質及び他の特性)に依存しよう。下部引裂き線は、最下段における缶が転がり出ることはないが、上の段における缶が取り出されたときに、最下段における缶が掴まれ得ず且つ容易には取り出され得ないほどには高くない高さに、位置を定められる必要がある。上部引裂き線は、それが上の段における缶をカートンから自動的に転がり出るのを阻止するよう、位置を定められる必要がある。また、それが容易な取出しのために端部において掴まれ得るよう、それは、位置を定められるべきであり、このことは、上述のように、ディスペンサー近傍の第２段における缶が僅かに前方に転がらなければならないということを意味している。側部パネル内への引裂き線６４の配置は、缶の端部を掴むのを容易にする。
【００２７】
指孔６６が折り線３６の近傍において各側部パネル内に置かれているということは、好ましい。指孔６６が折り線３６上に中心を置いているということは、好ましい。指孔６６は、側端部フラップ４０又は側端部フラップ４８におけるディスペンサーフラップ６２内に置かれ得、もって、人の指が、最下段における缶と中間段における缶との間の空間に入る。
【００２８】
図１に示されている把手以外の把手が、本発明のカートンと共に使用され得、又は、それは、把手を全く備えていない状態で作られ得る。図１に示されているように短い距離だけ側壁部１４及び２２内へ延びているスリット５４を備えている把手は、本発明のディスペンサーを備えているカートン用の好ましい把手である。
【００２９】
本発明のディスペンサーは、缶と他のタイプの円筒状容器との両方に使用され得る。
【００３０】
本発明のディスペンサーの独特な特徴
本発明のディスペンサーの独特な特徴のうちの一の特徴は、それが、ディスペンサーフラップの容易な除去であって缶への容易なアクセスを与えるものをもたらすが、カートンの構造保全性を低下させることはない、ということである。ディスペンサーは、指孔の配置の故に、開口させるのが容易である。ディスペンサーは、このディスペンサーが開口させられたときに下部引裂き線が容器の最下段における缶を保持するよう、設計されていると共に、上部引裂き線は、それが中間段における缶を保持するが、中間段からの缶の容易な取出しを可能にするよう、十分な高さに位置させられており、その容易な取出しは、上部引裂き線の配置によって部分的に達成されていると共に、缶を取り出すために人が缶の端部を掴むのを可能にする、側部パネル内への引裂き線の延伸によって部分的に達成されている。
【００３１】
本発明が、それの好適な形で開示されてきたが、請求項に記載されている本発明の精神及び範囲並びに本発明の均等物から逸脱することなく、多くの変更、追加及び削除がそれらになされ得るということは、当業者には明らかであろう。
【図面の簡単な説明】
【００３２】
【図１】ブランクであって、このブランクから、本発明の一実施形態に係るカートンが形成されるものの平面図である。
【図２】缶を装入されているカートンの斜視端面図であって、カートンを持ち上げるための把手孔内へ挿入されつつある人の手を示しているものである。
【図３】缶を収容しているカートンの斜視端面図であって、この斜視端面図においては、人の指が、側部パネルにおける指孔内へ挿入されて、ディスペンサーフラップを、一方の側部パネルにおけるものを除いて、カートンから引き離している、ものである。
【図４】本発明の実施形態に係るカートンの斜視端面図であって、この斜視端面図においては、人が、缶をディスペンサーから引き出すべく、缶を掴みつつある、ものである。
【図５】ディスペンサーが開口している状態におけるカートンの側面図であって、ディスペンサー開口部を通って僅かに前方へ転がっている、第２段における缶を示しているものである。
【図１】
2006515254.tif 000003
【図２】
2006515254.tif 000004
【図３】
2006515254.tif 000005
【図４】
2006515254.tif 000006
【図５】
2006515254.tif 000007
【国際調査報告】
2006515254.tif 000008